(57)【要約】【課題】  照明器具におけるソケットと直管型照明灯の口金部に被覆されて、電気的接続部への雨滴や塵、ほこりなどの付着を防止するソケットカバーを提供すること。【解決手段】  本考案のソケットカバーＡは、横向きで所要長、所要口径の円筒部１と、該円筒部１の何れか一端で接続され、上部を該円筒部１に沿う半円筒面とし、下部がその下端を底面視縦長矩形の挿入口２ａとする袴状のソケット収納部２とからなるシリコンゴム製の射出成型品にして、該円筒部１はその下面全長に渡り、軸心方向に沿って弾性変形による開閉自在な開閉部が配設されて成る。  このほか、前記開閉部が、円筒部１の終端からソケット収納部２の下端に渡り一連に配設されたものでも提供される。【選択図】図１
0003174421.tif 000002
【実用新案登録請求の範囲】
【請求項１】
横向きで所要長、所要口径の円筒部と、該円筒部の何れか一端で接続され、上部を該円筒部に沿う半円筒面とし、下部がその下端を底面視縦長矩形の挿入口とする袴状のソケット収納部とからなるシリコンゴム製の射出成型品にして、該円筒部はその下面全長に渡り、軸心方向に沿って弾性変形による開閉自在な開閉部が配設されて成るソケットカバー。
【請求項２】
前記開閉部が、円筒部の終端からソケット収納部の下端に渡り一連に配設されて成る請求項１記載のソケットカバー。
【考案の詳細な説明】
【技術分野】
【０００１】  本考案は、蛍光灯や蛍光灯型ＬＥＤ照明灯などの直管型照明灯におけるソケットカバーに関する。
【背景技術】
【０００２】従来から蛍光灯用の防水性を有するソケットは、特開２００１−８４８２６号公報（特許文献１）や登録実用新案第３０１８３２６号公報（特許文献２）等に提案され、また、壁面に固定された外形逆Ｕ形の一対のソケットに、蛍光灯の両端がそれぞれ電気的に接続された既存の照明具においては、両ソケットと蛍光灯全体を逆Ｕ状のカバーで包蔵する技術は、特開２０１０−２５７７１６号公報（特許文献３）に提案されているが、各ソケットと蛍光灯の各口金部に被覆される簡便なソケットは提案されていないものである。
【先行技術文献】
【特許文献】
【０００３】
【特許文献１】特開２００１−８４８２６号公報
【特許文献２】登録実用新案第３０１８３２６号公報
【特許文献３】特開２０１０−２５７７１６号公報
【考案の概要】
【考案が解決しようとする課題】
【０００４】  本考案は、上記従来技術に鑑みて、照明器具におけるソケットと直管型照明灯の口金部に被覆されて、電気的接続部への雨滴や塵、ほこりなどの付着を防止するソケットカバーを提供するものである。
【課題を解決するための手段】
【０００５】  本考案の請求項１に記載したソケットカバーは、横向きで所要長、所要口径の円筒部と、該円筒部の何れか一端で接続され、上部を該円筒部に沿う半円筒面とし、下部がその下端を底面視縦長矩形の挿入口とする袴状のソケット収納部とからなるシリコンゴム製の射出成型品にして、該円筒部はその下面全長に渡り、軸心方向に沿って弾性変形による開閉自在な開閉部が配設されて成る。
また、請求項２に記載したソケットカバーは、請求項１に記載したソケットカバーにおいて、前記開閉部が、円筒部の終端からソケット収納部の下端に渡り一連に配設されて成る。
【考案の効果】
【０００６】  本考案のソケットカバーは、照明器具におけるソケットと、直管型照明灯の口金部との接続部を、シリコンゴム製の円筒部とソケット収納部との単純な構造で被覆するものである上、円筒部の下面全長又は下面全長からソケット収納部の下端に渡り開閉部を配設したから、シリコンゴム特有の弾性変形を利用することで、被覆の簡便化が図られるとともに、前記接続部への雨滴や塵、ほこりなどの付着を防止して照明器具の安全性を確保できる効果がある。
【図面の簡単な説明】
【０００７】
【図１】本考案に係るソケットカバーＡの斜視図。
【図２】図１のＰ矢視図。
【図３】本考案に係るソケットカバーＢを示し、図１のＱ矢視から見た状態で示した説明図。
【図４】同上ソケットカバーＢを開閉部としてのスリット１ｂとスリット２ｃにより、図３に示す状態から円筒部１とソケット収納部２とを開いた状態の説明図。
【図５】ソケットカバーＡ、Ｂの使用状態の説明図。
【図６】開閉部の他の実施態様を示し、（ａ）は円筒部１におけるスリット１ｂの説明図。（ｂ）はソケット収納部２の前壁２ｂにおけるスリット２ｃの説明図。
【考案を実施するための形態】
【０００８】  横向きの円筒部１に対して、上下方向の下端に挿入口２ａを有して一体に接合されるソケット収納部２の底面視形状は、縦長矩形のものから装着対象のソケット３の形状に馴染んで成形されるものまで種々であり、開閉部は単純な突き合わせ状のスリット１ｂ、２ｃから、相互にオーバーラップした噛合部５を有するスリット１ｂ、２ｃでも提供される。
【実施例】
【０００９】  本考案のソケットカバーＡを実施例により説明すると、図１に示すように、横向きで所要長、所要口径の円筒部１と、該円筒部１の左端で接続され、上部を該円筒部１に沿う半円筒面とし、下部がその下端を底面視縦長矩形の挿入口２ａとする袴状のソケット収納部２とからなる透明なシリコンゴム製の射出成型品にして、該円筒部１は軸心方向に沿う下面全長に渡って内部空間１ａに連通し、弾性変形によって開閉自在に開閉される開閉部としてのスリット１ｂが配設されて成る。したがって、使用時には図２の仮想線で示すように、スリット１ｂから開かれて円筒部１を簡単にめくることができる。【００１０】  このようにして成るソケットカバーＡは、図５に示すように照明器具Ｌにおいて、ソケット３と、該ソケットに接続される直管型照明灯４の口金部４ａとを被覆するものであるが、その被覆要領を説明する。
先ず、直管型照明灯４が外された一端（右方）のソケット３にソケットカバーＡがソケット収納部２の挿入口２ａから被せられて装着され、この状態で直管型照明灯４の一端（右方）の口金部４ａが円筒部１の開口端から円筒空間１ａに挿入され、口金部４ａの端子ピン４ｂがソケット３の電極に嵌着されて電気的に接続されるが、このとき、円筒部１が透明であるから電極に対する端子ピン４ｂの位置関係を目視できるため、電気的接続が簡易となる。次いで、他端（左方）のソケット３にソケットカバーＡがソケット収納部２の挿入口２ａから被せられて装着され、その状態でスリット１ｂが開かれ、円筒部１がめくられて直管型照明灯４の他端（左方）が円筒部１の内部空間１ａに押し込まれ、口金部４ａの端子ピン４ｂがソケット３の電極に接続され、円筒部１のめくりが戻されてスリット１ｂは弾性復元力によって閉じた姿勢となり、口金部４ａが円筒部１に包蔵された状態となって、直管型照明灯４の両端の口金部４ａと各ソケット３との接続部はソケットカバーＡに完全に被覆されるので、風雨による雨滴や塵、ほこりなど付着が防止され、その安全性が確保されるのである。【００１１】  次に、本考案の他の実施態様について説明すると、ソケットカバーＢは図３に示すように、円筒部１の軸心方向に沿う下面全長に渡る開閉部としてのスリット１ｂと、該スリット１ｂの終端から連接してソケット収納部２の前壁２ｂを通ってその下端の挿入口２ａに渡るスリット２ｃとが設けられたものである。
したがって、このものは図４に示すように、円筒部１の下面からソケット収納部２の前壁２ｂの下端に渡って開くことができるから、照明器具Ｌにおいて、両ソケット３に直管型照明灯４を取り付けた状態でも矢印方向へ押し込めばソケットカバーＢはその装着が可能となる。装着後はシリコンゴムの弾性により、元へ復元されてスリット１ｂ、２ｃは閉じられ、雨滴や塵、ほこりなどのソケット３と口金部４ａとの接続部への付着が防止される。
なお、開閉部としてのスリット１ｂ、２ｃに関しては、単に突き合わせ状のものから、図６に示すように、相互にオーバーラップさせた噛合部５を有するものでも提供される。
【産業上の利用可能性】
【００１２】  本考案のソケットカバーは、シリコンゴム製の射出成型品にして直管型照明灯の口金部と、照明器具に配設されるソケットとの接続部を被覆して、雨滴や塵、ほこりなどの該接続部への付着を防止して照明器具の安全性を向上させるものであるから、照明器具業界及びソケットカバーの製造に関与する射出成型業界に大いに貢献できる。
【符号の説明】
【００１３】  １  円筒部
１ａ  円筒空間
１ｂ  スリット
２  ソケット収納部
２ａ  挿入口
２ｂ  前壁
２ｃ  スリット
３  ソケット
４  直管型照明灯
４ａ  口金部
４ｂ  端子ピン
５  噛合部
Ｌ  照明器具
Ａ、Ｂ  ソケットカバー
【図１】
0003174421.tif 000003
【図２】
0003174421.tif 000004
【図３】
0003174421.tif 000005
【図４】
0003174421.tif 000006
【図５】
0003174421.tif 000007
【図６】
0003174421.tif 000008